(57)【特許請求の範囲】
【請求項１】
各灰色パッチが一定の濃度を有して照明成分を検出する複数のパッチで構成されるパッチセットＩと、与えられた照明（特定照明）のもとで前記パッチセットＩを構成する各照明成分が放出する標準照明である中間色の灰色と条件等色対になるように製作されたパッチで構成されるパッチセットＩＩを得る段階と、
前記パッチセットＩで等価エネルギースペクトル反射度を有するパッチと同一の色相を有するパッチを選択して周辺照明成分を視覚的に検出する照明成分検出段階と、
前記検出された照明成分に対応するパッチセットＩＩを選択した後、選択されたパッチセットＩＩを該当表示装置のスクリーンに取り付ける段階と、前記表示装置に取り付けられたパッチセットＩＩの透明部分に灰色を表示し、周辺の灰色パッチと類似した輝度を有するように表示装置のコントラストを調整する段階と、前記パッチセットＩＩで前記表示装置に表示された灰色と最も類似した色を有するパッチを選択し、選択されたパッチにより前記表示装置の色温度を決める色温度決め段階とからなることを特徴とするカラー表示装置における色温度決め方法。
【請求項２】
各照明成分のもとで任意の参照パッチと同じ色に見える条件等色対パッチよりなる条件等色カラーパッチセットを得る段階と、
前記条件等色の色パッチセットのうち、同じく見えるパッチ対から周辺の照明成分を視覚的に検出する照明成分検出段階と、
前記検出された照明成分の影響を考慮して該当表示装置の白色の色度をＭＣＴｘｙとし、前記周辺の照明成分の色度をＶＩｘｙとするとき、前記ＭＣＴｘｙを前記ＭＣＴｘｙとＶＩｘｙがなす直線上でＭＣＴｘｙからＶＩｘｙの反対方向に位置する白色点（ＷＰ）に所定の距離ほど移動させる段階と、前記移動された白色点（ＷＰ）が色度座標で光源の経路上に位置するように前記光源の経路上の任意の点（ＷＰ’）に前記白色点（ＷＰ）をマッピングし、前記マッピングされた点（ＷＰ’）を前記表示装置の白色の色度として決める段階とからなることを特徴とするカラー表示装置における色温度決め方法。
【請求項３】
前記所定の距離は、前記表示装置の光と照明成分との相互作用に応じて肉眼に白色に感ずる色の変化を色度座標上の二つの点、ＭＣＴｘｙとＶＩｘｙとの距離に対する比として示す値と、前記ＭＣＴｘｙとＶＩｘｙとのユークリッド距離とを乗算して得られることを特徴とする請求項２に記載のカラー表示装置における色温度決め方法。
【請求項４】
前記マッピングされた点（ＷＰ’）の位置は、前記ＷＰからｘ軸に垂直に下す直線と光源の経路上との接点をＷＰｘｆｉｘとし、前記ＷＰからｙ軸に垂直に下す光源の経路上との接点をＷＰｙｆｉｘとするとき、二つの点ＷＰｘｆｉｘ、ＷＰｙｆｉｘの区間線形化により生成されたラインの中間地点に設定することを特徴とする請求項２に記載のカラー表示装置における色温度決め方法。
【請求項５】
前記光源の経路は日光の軌道を用いることを特徴とする請求項４に記載のカラー表示装置における色温度決め方法。
【発明の詳細な説明】
【０００１】
【発明の属する技術分野】
本発明はカラー表示装置における色温度決め方法に関し、特に、カラー表示装置の周辺照明成分を視覚的に検出し、検出された周辺照明成分を考慮して表示装置の色温度を決めるための方法に関する。
【０００２】
【従来の技術】
ＣＲＴまたはＬＣＤにより具現されるカラー表示装置はグラフィック情報を伝達する媒体として多用されている。グラフィックアート、広告、織物のデザイン、自動車の設計のような応用分野において、カラー表示装置は特定の色度パラメータを有する特定色を表示することが求められる。また、この色をインキ、染料またはペイントなどの他の媒体で再現するために、同様の色度パタメータを用いる。このパラメータとしては、国際照明委員会（ＣＩＥ：Commission Internationale de 1′Eclairage)により定義された周知のＸＹＺ表色系の三刺激値などが用いられる。
【０００３】
一つのカラー表示装置に任意の特定色（特定の色度のパラメータを有する色またはＸＹＺ色空間における一点）を表現するためには、まず該当表示装置の色再現特性を把握する必要がある。該当表示装置の色再現特性に応じて任意の特定色は表示装置における再現のための必要な電圧に変換される。この際、色変換の正確度は変換公式の正確度、言い換えれば、各表示装置の色再現特性の定義に対する正確度による。様々な入出力装置間の最小の色誤差を有する色変換のため、カラー管理システム（ＣＭＳ：Color Management System)が提案された。これは色変換のために各装置の正確な色再現特性の定義を含むプロファイルを要する。この際、表示装置の白色点の色度、すなわち色温度はＣＭＳプロファイルの作成時、重要な色度パラメータの一つである。
【０００４】
従来では表示装置の色温度を得るために測色器が用いられ、これは表示装置の正確な色度座標値を得るのに有利である。測色器を用いて得られた表示装置の色温度値は周辺の照明成分を取り除いた状態における純粋な表示装置自体の色温度値である。したがって、この色温度値は周辺の照明成分を反映しない。これをさらに詳しく説明すると、次のとおりである。
【０００５】
一般に、再現された画像を暗室で直接見ることはないので、実際に再現された画像を観察する環境は測色器を用いて得られる環境とは非常に異なる。すなわち、常時周辺の照明が存し、かつ、周辺照明の存在のもとで再現画像を観察する環境のもとでは、観察者の目は周辺照明と表示装置との二種の光源に順応するので、表示装置の色温度は測色器により得られた値とは相違するように感じられる。したがって、この色温度に対する測色器と視覚との差を考慮しなければ、所望の色整合を行うことはできない。
【０００６】
【発明が解決しようとする課題】
したがって、本発明は上述した問題点を解決するためになされたものであって、その目的は、カラー表示装置の周辺照明成分を視覚的に検出し、検出された周辺照明成分を考慮して表示装置の色温度を決めるための方法を提供することにある。
【０００７】
【課題を解決するための手段】
前記目的を達成するために、本発明によるカラー表示装置の色温度決め方法は、各照明成分のもとで灰色を示す複数のパッチで構成されるパッチセットＩと、与えられた照明のもとで前記パッチセットＩを構成する各照明成分が放出する中間色の灰色と条件等色対になるように製作された複数のパッチで構成されるパッチセットＩＩを得る段階と、前記パッチセットＩで等価エネルギースペクトル反射度を有するパッチと同一の色相を有するパッチを選択して周辺照明成分を視覚的に検出する照明成分検出段階と、前記検出された照明成分を用いて前記パッチセットＩＩから前記表示装置の色温度を決める色温度決め段階とからなることを特徴とする。
【０００８】
また、本発明によるカラー表示装置の色温度決め方法は、各照明成分のもとで任意の参照パッチと同じ色に見える条件等色対パッチよりなる条件等色カラーパッチセットを得る段階と、前記条件等色の色パッチセットのうち、同じく見えるパッチ対から周辺の照明成分を視覚的に検出する照明成分検出段階と、前記検出された照明成分の影響を考慮して該当表示装置の白色の色度を再び決める白色の色度決め段階とからなることを特徴とする。
【０００９】
【発明の実施の形態】
以下、添付の図面に基づき本発明の実施の形態を詳しく説明する。
【００１０】
観察者により認識される一つの色は、図１に一般的に示すように、ＣＩＥ  １９３１  ＸＹＺ表色系の三刺激（tristimulus)で表現されることが標準化となっている。これは光源のスペクトルパワー分布（ＳＰＤ：Spectral Power Distribution ）と物体の刺激スペクトルまたは反射度、人間の視覚のカラー整合関数との乗算により決められる。その過程は、図１に示すとおりであり、式１のように表現することができる。
【００１１】
【数１】
0003740229.tif 000002
前記の式１において、Ｓλは照明ＣのＳＰＤであり、Ｏλは物体の有する固有の反射度特性であり、ｘλ，ｙλ，ｚλは図１に示した標準観察者のカラー整合関数である。
【００１２】
図１のように、二つの物体１，２が異なるスペクトル反射度を有するにも拘わらず、その結果のＸ，Ｙ，Ｚ値が同じ場合、この二つの物体の色を同じものと認識する。この現象を条件等色現象（ｍｅｔａｍｅｒｉｓｍ）といい、この条件等色現象を引き起こす二つの物体の色を条件等色対という。
【００１３】
本発明による色温度決め方法は、この条件等色現象を引き起こすパッチセットを得る過程と、これを用いる照明検出及び表示装置の色温度を得る過程とを含む。
【００１４】
図２は、本発明の第１実施形態における照明成分検出のために用いられる第１パッチセットを示すものであって、パッチセット内の各々の斜線で表示される灰色パッチはインキまたはペイントなどを用いて次のように製作される。
【００１５】
Ｅパッチは全体の可視領域の波長にかけて一定の反射度を有するように製作される。Ａパッチは標準照明Ａ（相関色温度：２８５６°Ｋ）のもとで見ると、灰色に見えるように製作される。Ｆ１１パッチは標準照明Ｆ１１（相関色温度：４０００°Ｋ）のもとで見ると、灰色に見えるように製作され、Ｆ２パッチは標準照明Ｆ２（相関色温度：４２００°Ｋ）のもとで見ると、灰色に見えるように製作される。また、Ｄ５０パッチは標準照明Ｄ５０（相関色温度：５０００°Ｋ）のもとで見ると、灰色に見えるように製作され、Ｄ５５パッチは標準照明Ｄ５５（相関色温度：５５００°Ｋ）のもとで見ると、灰色に見えるように製作される。さらに、Ｄ６５パッチは標準照明Ｄ６５（相関色温度：６５００°Ｋ）のもとで見ると、灰色に見えるように製作され、Ｄ７５パッチは標準照明Ｄ７５（相関色温度：７５００°Ｋ）のもとで見ると、灰色に見えるように製作される。さらに、Ｄ９５パッチは色温度９５００°Ｋを有する照明のもとで見ると、灰色に見えるように製作される。図２において、ＢＬＫは色づけしない部分である。
【００１６】
各灰色パッチは一定の濃度を有するように製作されて、図２のように配列される。これを照明成分を検出するためのパッチセットＩとする。照明成分をより詳しく得るためには、パッチセットＩにさらに多くのパッチを製作して挿入すればよい。
【００１７】
図３は、本発明の第１実施形態における表示装置の色温度決めのために用いられるパッチセットＩＩの例を示すものであって、パッチセット内の各々の斜線で表示されるパッチは次のように製作される。
【００１８】
Ａパッチは与えられた照明（特定照明）のもとで標準照明Ａが放出する中間色の灰色と条件等色対となるように製作される。Ｆ１１パッチは与えられた照明  （検出された照明）のもとで標準照明Ｆ１１が放出する中間色の灰色と条件等色対となるように製作され、Ｆ２パッチは与えられた照明（特定照明）のもとで標準照明Ｆ２が放出する中間色の灰色と条件等色対となるように製作される。また、Ｄ５０パッチは与えられた照明（特定照明）のもとで標準照明Ｄ５０が放出する中間色の灰色と条件等色対となるように製作され、Ｄ５５パッチは与えられた照明（特定照明）のもとで標準照明Ｄ５５が放出する中間色の灰色と条件等色対となるように製作される。Ｄ６５パッチは与えられた照明（特定照明）のもとで標準照明Ｄ６５が放出する中間色の灰色と条件等色対となるように製作され、Ｄ７５パッチは与えられた照明（特定照明）のもとで標準照明Ｄ７５が放出する中間色の灰色と条件等色対となるように製作される。Ｄ９５パッチは与えられた照明（特定照明）のもとで標準照明Ｄ９５が放出する中間色の灰色と条件等色対となるように製作される。ここで、色づけしない白色部分は透明膜で製作される。
【００１９】
前記パッチセットＩＩは、パッチセットＩの各照明部分、例えば、Ａ，Ｆ１１，Ｆ２，Ｄ５０，Ｄ５５，Ｄ６５，Ｄ７５，Ｄ９５に対してそれぞれ製作される。
【００２０】
照明は色整合を目的とするシステムの重要な適用環境の一つであって、人間の認識特性に大きな影響を与える。表示装置で再現される色は周辺照明の影響により実際に認識される過程では測色器を用いて得られた値とは異なる値として認識される。このように実際の色認識が行われる状況を考慮して色処理を行うべきであり、そのためには周辺の照明成分を検出することが非常に重要となる。
【００２１】
図４は、本発明の第１実施形態における照明成分の検出及び表示装置の色温度決めのためのフローチャートであり、周辺の照明成分を視覚的に検出する照明成分検出段階（ステップ４１、４２）と、検出された照明成分を用いて該当表示装置の色温度を決める色温度決め段階（ステップ４３〜ステップ４６）よりなる。
【００２２】
図４に示されたフローチャートにより本発明の作用を次に説明する。すなわち、ステップ４１では、色再現特性を得ようとする状態に表示装置の全ての調節端子を設定する。
【００２３】
次に、ステップ４２では、図２に示されたようなパッチセットＩを用いて照明成分を検出する。この照明成分検出過程は、図５に示すように、与えられた環境のもとで照明成分を得るためにパッチセットＩを用いて、パッチセットＩのＥパッチ、すなわち、等価エネルギースペクトル反射度を有するＥパッチと同じ色相を有するパッチを選択する。この場合、選択されたパッチが現在の照明状態を示す。すなわち、各パッチに名付けられたのが照明成分である。例えば、ＥパッチとＦ２パッチが同じ色相に見えると、照明成分はＦ２となり、残りパッチは相異なる色相を有する。
【００２４】
ステップ４３では、ステップ４２で検出された照明成分に対応するパッチセットＩＩを選択した後、パッチセットＩＩを表示装置のスクリーンに取り付ける  （ステップ４４）。ステップ４５では、表示装置に取り付けられたパッチセットＩＩの透明部分に灰色を表示し、周辺の灰色パッチと類似した輝度を有するように表示装置のコントラストを調節する。ステップ４６では、表示装置に表示された灰色と最も類似した色を有するパッチセットＩＩのパッチを一つ選択し、これにより、表示装置の色温度を決める。この色温度決め過程を図６に基づいてさらに詳しく説明する。
【００２５】
図６において、図５で検出された照明Ｆ２に対応するように製作されたパッチセットＩＩを選択し、これを表示装置のスクリーン上に取り付ける。この際の表示装置は背景を５０％灰色で表示し、パッチを取り付けた部分はパッチの輝度と類似した程度の輝度を示す灰色を表示する。次に、パッチセットＩＩの透明窓部分を通して見られる表示装置の灰色と周辺のパッチとの輝度が一定するように表示装置のコントラスト端子を調節する。この際、コントラスト端子の調節に応じて表示装置の色度は変わらないため、実際の使用時には適宜に再調整して用いてもよい。この場合、透明窓を通して見られる表示装置の色と最も類似した色を有するパッチを選択する。例えば、選択されたパッチＤ６５の場合は、この表示装置の色温度はＤ６５となる。
【００２６】
図７は本発明の第２実施形態における照明成分を検出するために用いられる条件等色の色パッチセットを示すものである。条件等色の色パッチセットは“ｒｅｆ”で表現される参照パッチと、“ｍｅｔａ”で表現される多数の条件等色対パッチで構成されている。なお、パッチの左側に示されたＡ，Ｆ２，Ｆ８，Ｄ６５，Ｆ５，Ｆ７は照明成分を示す。参照パッチは特定の一つの色として各照明成分に対して同じである。すなわち、Ａｒｅｆ，Ｆ２ｒｅｆ，Ｆ８ｒｅｆ，Ｄ６５ｒｅｆ，Ｆ５ｒｅｆ，Ｆ７ｒｅｆパッチは同じ色である。各参照パッチに対応する条件等色対パッチは、該当照明成分のもとで参照パッチと同じ色に見える条件等色対である。一つの照明成分のもとでは、一対の参照パッチと条件等色対パッチのみが同じ色に見える。
【００２７】
例えば、ある観察環境でパッチ“Ｆ５ｒｅｆ”とパッチ“Ｆ５ｍｅｔａ”が同じく見えると、周辺照明成分は“Ｆ５”である。この条件等色現象を用いて表示装置の周辺照明成分を認識することができる。図７に示したものは一例に過ぎず、さらに多くの照明を検出するためには、さらに多くの条件等色対を用いればよい。この条件等色の色パッチセットはインキまたはペイントなどを用いて製作され、製作の条件は次のとおりである。
【００２８】
“Ａｒｅｆ”と“Ａｍｅｔａ”パッチ対は標準照明Ａ（相関色温度：２８５６°Ｋ）のもとで同じ色に見えるように製作される。“Ｆ２ｒｅｆ”と“Ｆ２ｍｅｔａ”パッチ対は標準照明Ｆ２（相関色温度：４２００°Ｋ）のもとで同じ色に見えるように製作され、“Ｆ８ｒｅｆ”と“Ｆ８ｍｅｔａ”パッチ対は標準照明Ｆ８（相関色温度：５０００°Ｋ）のもとで同じ色に見えるように製作される。また、“Ｄ６５ｒｅｆ”と“Ｄ６５ｍｅｔａ”パッチ対は標準照明Ｄ６５（相関色温度：６５００°Ｋ）のもとで同じ色に見えるように製作される。“Ｆ５ｒｅｆ”と“Ｆ５ｍｅｔａ”パッチ対は標準照明Ｆ５（相関色温度：６３５０°Ｋ）のもとで同じ色に見えるように製作され、“Ｆ７ｒｅｆ”と“Ｆ７ｍｅｔａ”パッチ対は標準照明Ｆ７（相関色温度：６５００°Ｋ）のもとで同じ色に見えるように製作される。この際、各々の照明成分のもとでは、一つのパッチ対のみが同じ色に見えるように製作される。かつ、各々のパッチは同様の濃度と光沢を有するように製作される。
【００２９】
照明成分は色整合を目的とするシステムの重要な適用環境の一つであり、人間の認識特性に大きな影響を与える。表示装置で再現される色は周辺照明の影響により実際に認識される過程で測色器を用いて得られる値とは異なる値として認識される。このように実際に色認識が行われる状況を考慮して色処理を行う必要があるため、照明成分を検出することは非常に重要である。この周辺照明を得る方法は、図８に示されたとおりである。
【００３０】
図８を参照すれば、与えられた環境のもとで照明成分を得るために条件等色の色パッチセットを用いる。この際、条件等色の色パッチセットで同じく見える参照パッチと条件等色パッチ対を探す。条件等色の色パッチセットで同じく見えるパッチ対から照明成分を容易に検出することができる。これは、照明成分の情報がそのパッチの左側に示されているためである。
【００３１】
次に、検出された照明成分に応じてモニターの色温度を決める方法について説明する。
【００３２】
色温度はｘｙ色度座標システムで白色の色度として表現することができる。実際の表示装置の特性、すなわち、表示装置の色再現特性に対する各種の色度パラメータを検出し、検出されたパラメータをプロファイルするときに必要な色データは色温度でなく、白色の色度に基づく白色のＣＩＥ  ＸＹＺ  三刺激（Ｘ，Ｙ，Ｚ）値である。
【００３３】
表示装置の白色の色度をＭＣＴｘｙとし、周辺照明成分の色度をＶＩｘｙとするとき、ＭＣＴｘｙは測色器を用いて表示装置の白色の色度を測色して得られるか、表示装置のセッテングにより決められる。現在、一部のモニターセットは自体的に数個の色温度に対応するように選択し得る。一方、ＶＩｘｙは図８に示されたように、条件等色の色パッチセットを用いる周辺照明装置の検出により決められる。肉眼には表示装置のスクリーンから発散される光と周辺の照明成分が同時に入り、この光の相互作用により白色に対する感知が異なる。次の式２は二つの光の相互作用により発生する白色に対する変換比を示す。
【００３４】
ＡＰＳＲ＝αＴＶdist  ・・・  式２
前記の式２で、ＡＰＳＲは表示装置の光と照明成分との相互作用に応じて人間が白色として感ずる色の変化を、色度座標上の二点ＭＣＴｘｙとＶＩｘｙとの距離に対する比として示す。αは適度の輝度（約６０ｃｄ／ｍ２）の周辺照明成分で１．２３７であり、周辺照明成分の輝度に応じて変わり、周辺照明成分が存在しない場合には０となる。ＴＶdistは、ＭＣＴｘｙとＶＩｘｙとのユークリッド距離を示す。例えば、ＭＣＴｘｙの座標をｘｔ，ｙｔとし、ＶＩｘｙの座標をｘｖ，ｙｖとすると、ＴＶdistは次の式３のように表現し得る。
【００３５】
【数２】
0003740229.tif 000003
表示装置の光と照明成分との相互作用に応じて人間が白色として感ずる色（図９のＡＰ′）の変化は、ＭＣＴｘｙからＶＩｘｙ方向に起こる。この肉眼の適応現象に応じて表示装置の白色点の変化は、肉眼が白色に感ずる色の変化が起こる方向の反対方向に、言い換えれば、ＶＩｘｙからＭＣＴｘｙ方向にＡＰＳＲ＊ＴＶdistほど起こる。
【００３６】
また、表示装置の色度変化は次のような過程により決められる。すなわち、第一に、ＭＣＴｘｙとＶＩｘｙがなす直線上でＡＰＳＲ＊ＴＶdistの大きさほどＭＣＴｘｙからＶＩｘｙの反対方向に白色点ＷＰが移動する。第二に、この白色点ＷＰが色度座標上で光源の経路、例えば、日光の軌跡上に位置するように光源の経路上の一点ＷＰ′にマッピングされる。このマッピングされた点ＷＰ′は再び決められた表示装置の白色の色度である。これを図９に図式的に示す。
【００３７】
周辺照明成分の影響により変わる表示装置の白色の色度を決める過程を図９に示された座標値及び前記の式２、式３の座標値をそのまま用いて示すと、次のとおりである。
【００３８】
【数３】
（ｘｖ−ｘｔ）＞０であれば
ＷＰ⇒（ＷＰｘ，ＷＰｙ）＝（ｘｔ−（ＡＰＳＲ＊ＴＶdist），ｙｔ−（ＡＰＳＲ＊ＴＶdist）であり、
（ｘｖ−ｘｔ）＜０であれば
ＷＰ⇒（ＷＰｘ，ＷＰｙ）＝（ｘｔ＋（ＡＰＳＲ＊ＴＶdist），ｙｔ＋（ＡＰＳＲ＊ＴＶdist）である。
【００３９】
次に、ＷＰからｘ軸に垂直に下す直線と光源の経路との接点をＷＰｘｆｉｘとし、ＷＰからｘ軸に平行な直線と光源の経路との接点のうちＷＰと近い点をＷＰｙｆｉｘとして、その点の座標値を求める過程は次のとおりである。この点は光源の経路の一点であり、光源の経路は次の式４のように示すことができる。
【００４０】
【数４】
ｙ＝−３．０ｘ２＋２．８７０ｘ−０．２７５  ・・・  式４
かつ、ＷＰｘｆｉｘの座標ｘ，ｙは次の式５及び式６のように示すことができる。
【００４１】
【数５】
0003740229.tif 000004
また、ＷＰｘｙｆｉｘの座標ｘ，ｙは次の式７，式８及び式９のように示すことができる。
【００４２】
【数６】
0003740229.tif 000005
前記の式７〜式９から決められたＷＰ′の色度座標値は二つの座標ＷＰｘｆｉｘとＷＰｙｆｉｘとの区間線形化後に生成されたライン上に存在する中間地点を選択する次の式１０により決められる。
【００４３】
【数７】
0003740229.tif 000006
すなわち、表示装置の白色の色度はＭＣＴｘｙから周辺照明成分の影響によりＷＰ′に変わる。このＷＰ′は表示装置の特性化で白色の色度を記述するに用いられる。
【００４４】
【発明の効果】
上述したように、本発明の第１実施形態ではパッチセットＩとパッチセットＩＩとを用い、第２実施形態では条件等色の色パッチセットを用いて視覚的に周辺の照明成分を検出した後、検出された周辺の照明成分の影響を考慮して表示装置の白色の色度または色温度を再び決める。したがって、ＣＭＳなどの色整合システムで必要とする表示装置のプロファイルを生成するとき、測色器を用いることなく、周辺の照明成分を影響を考慮した表示装置の色温度、すなわち、白色の色情報を提供することができる。すなわち、表示装置のプロファイルの生成時、色度パラメータ中の一つである白色の色度を本発明の方法を用いて得た場合には、ＣＭＳなどを用いて色整合を得ようとする様々な応用ソウトウェアなどで測色器を用いて得られる色温度または色温度の選択が可能な表示装置セットにおいて使用者の選択により決められた白色の色度を用いる場合より、視覚的にさらに正確な色整合を達成することができる。
【図面の簡単な説明】
【図１】色の認識に対する図式的表現を示す図面である。
【図２】本発明の第１実施形態において照明成分検出のために用いられるパッチセットＩを示す図面である。
【図３】本発明の第１実施形態において表示装置の色温度決めのために用いられるパッチセットＩＩを示す図面である。
【図４】表示装置において本発明の第１実施形態による色温度決め方法を説明するためのフローチャートである。
【図５】本発明の第１実施形態による視覚的照明成分の検出段階を示す例示図である。
【図６】本発明の第１実施形態による表示装置の色温度決め段階を示す例示図である。
【図７】本発明の第２実施形態において照明成分検出のために用いられる条件等色の色パッチセットを示す図面である。
【図８】本発明の第２実施形態による視覚的照明成分の検出段階を示す例示図である。
【図９】本発明の第２実施形態による表示装置の白色の色度の変化を示すグラフである。
【図１】
0003740229.tif 000007
【図２】
0003740229.tif 000008
【図３】
0003740229.tif 000009
【図４】
0003740229.tif 000010
【図５】
0003740229.tif 000011
【図６】
0003740229.tif 000012
【図７】
0003740229.tif 000013
【図８】
0003740229.tif 000014
【図９】
0003740229.tif 000015